(57)【要約】      （修正有）【課題】合理的な溶接構造の大型クロスヘッド・ディーゼル・エンジンを提供する。【解決手段】クランクシャフト３を受け入れるためのベースプレート２と、２つの外壁４を含み且つベースプレート２の上に配置されるスタンド５とを有する大型クロスヘッド・ディーゼル・エンジン１に関する。シリンダ部分６がシリンダを受け入れるためにスタンド５の上に配置されて、ベースプレート２、スタンド５、及びシリンダ部分６は、スタンド５の領域内で横方向支持壁８に沿って延びるタイロッド７によって相互に連結されている。横方向高さＨＴの滑動表面９が、上死点ＯＴＰと下死点ＵＴＰとの間で行程経路ＨＳにわたって往復動可能に配置されるクロスヘッド１０を支持するために支持壁８の上に形成される。支持要素を、その横方向範囲が滑動表面９の横方向高さＨＴよりも小さいように、支持壁８に部分態様で配置する。【選択図】図１
2010223220.tif 000002
【特許請求の範囲】
【請求項１】
クランクシャフト（３）を受け入れるためのベースプレート（２）と、２つの外壁（４）を含んで前記ベースプレート（２）上に配置されるスタンド（５）と、シリンダを受け入れるために前記スタンド（５）上に配置されるシリンダ部分（６）とを有し、
前記ベースプレート（２）、前記スタンド（５）、及び前記シリンダ部分（６）は、前記スタンド（５）の領域内で横方向支持壁（８）に沿って延びるタイロッド（７）によって相互に連結されており、
横方向高さ（ＨＴ）の滑動表面（９）が、上死点（ＯＴＰ）と下死点（ＵＴＰ）との間で行程経路（ＨＳ）にわたって往復動可能に配置されるクロスヘッド（１０）を支持するために前記支持壁（８）に形成される、大型クロスヘッド・ディーゼル・エンジン（１）において、
支持要素（１１）が、該支持要素（１１）の横方向範囲（ｈ）が前記滑動表面（９）の前記横方向高さ（ＨＴ）よりも小さいように、前記支持壁（８）に部分的に設けられることを特徴とする大型クロスヘッド・ディーゼル・エンジン（１）。
【請求項２】
前記支持要素（１１）の横方向の幾何学中心（ＧＭ）が、前記下死点（ＵＴＰ）から遠い側の前記行程経路（ＨＳ）の最大７５％のところである、請求項１に記載の大型クロスヘッド・ディーゼル・エンジン。
【請求項３】
前記支持要素（１１）の前記横方向の幾何学中心（ＧＭ）が、前記下死点（ＵＴＰ）から遠い側の前記行程経路（ＨＳ）の最大５０％、特に最大３０％のところである、請求項１又は請求項２に記載の大型クロスヘッド・ディーゼル・エンジン。
【請求項４】
前記支持要素（１１）の前記横方向範囲（ｈ）が、前記滑動表面（９）の前記横方向高さ（ＨＴ）の最大７５％に達する、請求項１から３のいずれか一項に記載の大型クロスヘッド・ディーゼル・エンジン。
【請求項５】
前記支持要素（１１）の前記横方向範囲（ｈ）が、前記滑動表面（９）の前記横方向高さ（ＨＴ）の４０％から７５％に達する、請求項１から４のいずれか一項に記載の大型クロスヘッド・ディーゼル・エンジン。
【請求項６】
前記支持要素（１１）の前記横方向範囲（ｈ）が、前記滑動表面（９）の前記横方向高さ（ＨＴ）の５％と４０％との間に、好ましくは３０％未満になる、請求項１から５のいずれか一項に記載の大型クロスヘッド・ディーゼル・エンジン。
【請求項７】
前記クロスヘッド（１０）が、動作状態で、シリンダ軸線（Ａ）に関して非対称的に広がる水平横方向力（ＱＫ）を前記横方向支持壁（８）に及ぼし、前記支持要素（１１）が前記支持壁（８）における前記横方向力（ＱＫ）の最大値（Ｍ１、Ｍ２）の範囲内に設けられる、請求項１から６のいずれか一項に記載の大型クロスヘッド・ディーゼル・エンジン。
【請求項８】
前記支持要素（１１）が三角形断面を有する二重壁形態で作製されている、請求項１から７のいずれか一項に記載の大型クロスヘッド・ディーゼル・エンジン。
【請求項９】
前記支持要素（１１）が長方形断面を有する二重壁形態で作製されている、請求項１から８のいずれか一項に記載の大型クロスヘッド・ディーゼル・エンジン。
【請求項１０】
前記支持要素（１１）が中実な支持要素（１１）として単壁形態で設計されている、請求項１から９のいずれか一項に記載の大型クロスヘッド・ディーゼル・エンジン。
【請求項１１】
厳密に１本のタイロッド（７）が、前記支持要素（１１）に通して案内されている、請求項１から１０のいずれか一項に記載の大型クロスヘッド・ディーゼル・エンジン。
【請求項１２】
複数のタイロッド（７）が、好ましくは、厳密に２本のタイロッド（７）が、前記支持要素（１１）によって案内されている、請求項１から１１のいずれか一項に記載の大型クロスヘッド・ディーゼル・エンジン。
【請求項１３】
支持要素（１１）が、同じクロスヘッド（１０）を案内する２つの水平に対向配置された支持壁（８）にそれぞれ設けられている、請求項１から１２のいずれか一項に記載の大型クロスヘッド・ディーゼル・エンジン。
【請求項１４】
少なくとも２つの支持要素（１１）が、１つの且つ同じ支持壁（８）に設けられる、請求項１から１３のいずれか一項に記載の大型クロスヘッド・ディーゼル・エンジン。
【請求項１５】
前記ベースプレート（２）の基部パネル板（１２）から前記スタンド（５）の上部パネル板（１３）まで貫通する横方向支持体（１１０）が設けられている、請求項１から１４のいずれか一項に記載の大型クロスヘッド・ディーゼル・エンジン。
【発明の詳細な説明】
【技術分野】
【０００１】
本発明は、独立請求項１のプリアンブルに従う大型クロスヘッド・ディーゼル・エンジンに関する。
【背景技術】
【０００２】
船舶建造で又は、例えば、電気エネルギーを生み出すための定置装置で好ましく使用されるような、クロスヘッド構造の大型ディーゼル・エンジンは、このエンジンのフレームを形成する３つの大きなハウジング部分を含んでいる。ベースプレートの上に、支持板によって分離されたいわゆるスタンドが配置されるが、このベースプレートは、クランクシャフトを受けるためのクランクシャフト主軸受を有する軸受サドルに加えて、横方向支持要素を有する。先行技術から知られたスタンドは、大型ディーゼル・エンジンのシリンダの本数に従って複数の対向配置された支持体を具備するが、それぞれの支持体は、プッシュロッドを介してクランクシャフトに連結される２つの隣接するクロスヘッドを案内するために、垂直に延びる滑動表面を有する。この点に関して、垂直に延びる２つの対向配置された滑動表面が、中心壁によって追加的に支持される。個々の支持体は、一般に共通のカバープレートによって相互に連結される。次いでシリンダ部分（しばしばシリンダ・ジャケットとも呼ばれる）がスタンドの上方でカバープレートに配置され、そのシリンダ部分は複数のシリンダ・ライナを受け入れるのに適している。ベースプレート、スタンド、及びシリンダ部分は、この連結では、タイロッドによって相互に連結されるが、これらのタイロッドは、タイロッドが実質的に予張力が掛けられてベースプレートの中へ又はそれにねじ留めされる点で、一般にスタンド領域内の支持体の内部に延びる。
【０００３】
ピストン機械のクロスヘッド滑動軌道用の支持部を有し、この支持部が二重壁を備えて作製されるスタンドが、独国特許第３５１２３４７号（Ｃ１）から知られている。シリンダ・ライナを受け入れるためにシリンダ・ジャケットが上に設置されるスタンドは、ベースプレート上のベースシートの上に配置されるが、このベースシートは、斜めに延びる外壁及び垂直の滑動表面と共に、断面が台形を成して共通のカバープレートによって相互に連結される２つのフレームを形成する。これらの台形のフレームは、二重壁設計の支持体が結果的に支持部となるように、横方向支持壁によって外壁と滑動表面との間に埋め込まれる。ベースプレートは、下部軸受シェルと、軸受カバーを有する上部軸受シェルとを有する軸受サドルを具備するが、その軸受シェルの中で、クランクシャフトはベースプレートの軸受サドルの中に軸支される。エンジンのシリンダ・ジャケット、スタンド、及びベースプレートは、軸受サドルに又はその中でクランクシャフトの下に予張力が掛けられて取り付けられるタイロッドによって一体に保持される。
【０００４】
２本のタイロッドが案内される、三角形断面を有する二重壁支持体が、欧州特許第０７７４０６１号に開示されている。
【０００５】
このような公知の大型クロスヘッド・ディーゼル・エンジンでは、スタンドの二重壁設計の支持体が、ベースプレートにおける二重壁設計と同様に支持要素上で支持される。これは、スタンド及びベースプレートが共に、横方向支持壁によって二重壁に作製されていることを意味する。
【０００６】
しかし、この点で、ベースプレートが、単壁設計である横方向支持壁によって形成される大型ディーゼル・エンジンも先行技術から知られている。本出願人は、数年前に欧州特許第１３８２８２９号（Ｂ１）において、このような改善策を既に提案した。
【０００７】
この先行技術から知られた大型クロスヘッド・ディーゼル・エンジンの構造は、この点で幾つかの深刻な欠点を有する。支持体は溶接シームによってスタンドの中に取り付けられる。支持体が２つの対向配置された壁によって二重壁設計から作製されるとき、スタンドの中の二重壁支持体を形成する２つの壁間の溶接シームは裏溶接され得ず、したがってそれに対応して強度及び／又は安定性に関わる問題が生じる。ベースプレートをスタンドに対して位置合わせすることは、ベースプレートの支持要素の壁が、スタンド中の支持体の支持壁に対して面一に配置されなければならないので難しい。
【０００８】
この点で、支持体はスタンドのほぼ全高にわたって延びるが、そうしたことは、二重壁設計の密閉された支持体の中で溶接する際に、支持体の内部は到達不可能であり、したがってこれらの支持体が裏溶接され得ないので、上述の問題に陥るばかりではない。さらには、ベースプレート上方の支持板とシリンダ部分の下のカバープレートとの間でスタンドのほぼ全高にわたって延びる二重壁支持体は大量の材料を消費する。
【０００９】
これは、知られた支持体が、スタンドの中に取り付けるのに複雑であるばかりでなく、溶接シームに関して安全上の問題に陥る恐れがあることを意味する。また知られた解決策も、高水準の材料消費量によって費用が嵩み、且つスタンドの重量全体がかなり増大することになる。
【発明の概要】
【発明が解決しようとする課題】
【００１０】
したがって、先行技術から出発すると、本発明の目的は、スタンドの設計によって知られる欠点が回避される改良大型クロスヘッド・ディーゼル・エンジンを提供することである。特に、より少ない材料消費量で製造可能であり、したがって公知のスタンドよりも重量が遙かに少ないスタンドが提案されるべきである。さらには、本発明によって提案されたスタンドは、組立てがより容易であるべきであり、しかも支持板とカバープレートとの間でスタンドの全高にわたって密閉体として延びる公知のスタンドに必然的に生じる溶接シームに関わる問題が同時に回避される。
【課題を解決するための手段】
【００１１】
これらの目的を果たす本発明の主題は、独立請求項１の特徴構造によって特徴付けられる。
【００１２】
従属請求項は、本発明の特に有利な実施例に関する。
【００１３】
本発明に従えば、かくして、クランクシャフトを受け入れるためのベースプレートと、２つの外壁を含み且つベースプレートの上に配置されるスタンドとを有する大型クロスヘッド・ディーゼル・エンジンが提案される。シリンダ部分がシリンダを受け入れるためにスタンドの上に配置されて、ベースプレート、スタンド、及びシリンダ部分は、スタンドの領域内で横方向支持壁に沿って延びるタイロッドによって相互に連結されている。横方向高さの滑動表面が、上死点と下死点との間で行程経路にわたって往復動可能に配置されるクロスヘッドを支持するために支持壁の上に形成される。本発明に従えば、支持要素が、この支持要素の横方向範囲が滑動表面の横方向高さよりも小さいように、部分的に、支持壁に設けられる。
【００１４】
支持要素が支持壁に部分的にのみ設けられるので、材料の手間がより少なく製造することが可能であり、したがって知られたスタンドよりも遙かに少ない重量を有し且つ製造上の対費用効果のより優れた、大型クロスヘッド・ディーゼル・エンジンのためのスタンドが、本発明によって初めて提案される。
【００１５】
支持要素が部分的においてのみ支持壁に設けられて且つベースシートとカバープレートとの間を通過する支持体が、先行技術で知られたようには使用されないので、本発明に従うスタンドは組立てがより容易であり、しかも完全な密閉体として支持板とカバープレートとの間でスタンドの全高にわたって延びる公知のスタンドに必然的にもたらされる溶接シームに関わる知られた問題が同時に回避される。
【００１６】
つまり、本発明に従う支持要素は、せいぜい部分的に支持壁に設けられるにすぎない。それによって、一般に、二重壁支持要素を備えても支持要素の内部に適切な溶接装置を使用して到達可能であって、この支持要素は裏溶接が可能となり、したがって支持壁に確実に恒久的に連結され得る。
【００１７】
さらには、適切な診断装置を使用して、例えば、超音波装置を使用して溶接後に溶接シームを検査することが可能であり、これまで知られていない非常に高度な品質及び安全性が支持要素の溶接シームに関して保証され得るように、内部溶接シームに発生し得る損傷に関してもさらに信頼性のおけるものである。
【００１８】
この点で、本発明は、クロスヘッドが横方向に沿って移動するときに、このクロスヘッドが滑動軌道に対して及ぼす力が、最初は水平方向に関して幾分顕著に非対称的であり、次いで横方向に沿って大きく変化して、クロスヘッドの上死点の近傍で且つ下死点の上方で共に最大値を有するという認識に基づいている。
【００１９】
明瞭化する目的のためにこの時点で簡単に述べるべきことであるが、本出願の枠組みの中で大型ディーゼル・エンジンにおける特定の空間的方向に言及するとき、長手方向とは、一般に大型ディーゼル・エンジンのクランクシャフトが配置される方向を意味する。横方向とは、このクランクシャフトに対して垂直な方向であり、且つシリンダ・ライナの長手軸線に対して平行に配置される方向である。したがって、横方向とは、大型ディーゼル・エンジンの高さが、一般に搭載された状態において延びる垂直方向である。この点で、水平方向とは、長手方向上に且つ横方向上に同時に垂直に位置するものであり、即ち、それは通常では、搭載された状態にあるエンジンの水平方向である。
【００２０】
この点で、クロスヘッドが、支持壁の滑動表面に対して及ぼす力の上述の推移が原理的に知られる。それは、図５及び図７ａを参照して後段により詳細にさらに説明するように、多少とも魚の輪郭を思わせる特徴的な輪郭を有し、この力の推移の輪郭は、水平方向に関して対称的ではない。これは、大型ディーゼル・エンジンのピストンの圧縮行程時に圧縮圧力のみが燃焼空間内に加えられるが、一方でピストンの膨張行程では、燃料の燃焼によって生成される追加的な燃焼圧力が燃焼空間内で追加的に加えられて、滑動軌道に対して得られる水平力成分も圧縮行程におけるよりも膨張行程における方が大きいことによる。
【００２１】
したがって、この力の推移の輪郭が非対称的に変位することも、エンジンが動作する回転方向に関して特徴的である。例えば、エンジンが、船尾から眺めて、即ち、船舶では当然にスクリュー側であるエンジンの駆動側に向かって眺める方向に関して左側に回転すれば、反時計回りに回転するエンジンについて言っている。エンジンが反時計回りに回転する場合には、より大きな力は、船尾から眺めた場合と同様に、右手水平方向へ及ぼされる。エンジンが時計回りに回転すれば、それに対応して、より大きな力は左手水平方向へ及ぼされる。
【００２２】
即ち、換言すれば、大型ディーゼル・エンジンの排気ガス側は、船尾から眺めて原則的に右側にあるので、且つ燃料供給用などのユニット、即ち、ポンプ側は左側にあるので、時計回りに回転するエンジンでは、より大きな力がポンプ側に加えられ、反時計回りに回転するエンジンでは、より大きな力が排気ガス側に加えられる。
【００２３】
これまで広く行きわたっている全ての考えとは異なって、支持壁は、スタンドの全高にわたって支持体に支持される必要がなく、この支持壁が、滑動表面に対するクロスヘッドの水平力作用の最大値領域内で本発明に従う支持要素で強化されれば、むしろ本質的に十分であることが本発明によって今や証明された。
【００２４】
この点で、支持壁の厚さを全高にわたって強化することは、幾つかの場合において安定性の理由のために有意義なことであり得る。この点で必要とされる強化材の幾何学形状は、個別的な事例で異なる要因に、特に、例えば、エンジンの構造サイズ、エンジンの出力、及び他の要因に依存する。この点で、述べたように、支持壁の強化が全ての場合に必要であるわけではない。
【００２５】
例えば、３５０ｍｍのシリンダ内径を有する大型ディーゼル・エンジンでの試行では、本発明の支持要素を有利に使用できるためには、支持体によってスタンドの全高にわたって支持される公知の支持壁を元の４０ｍｍ厚さから６０ｍｍ厚さに強化するだけで十分であることが証明された。
【００２６】
例えば、より低い出力を有するか又はいずれにしても既に十分な厚さを有するエンジンでは、本発明に従う支持要素も支持壁を強化することなく使用され得ることが判明した。
【００２７】
水平力成分による負荷が、クロスヘッドの上死点で予め設定した量を超過する場合に、例えば、それに従って、スタンドをシリンダ部分から分離するカバープレートの厚さを強化することも、特定の事例では有意義であり得る。また強化ベースシートを使用してベースプレート領域内の繋止を追加的に強化することも当然であるが可能である。
【００２８】
支持要素の横方向の幾何学中心は、クロスヘッドの水平力作用の最大値が支持要素によって有効に補償されることを保証するように、クロスヘッドが下死点から離れる行程経路の好ましくは最大７５％のところである。この点で、支持要素の横方向の幾何学中心は、下死点から離れる行程経路の特に好ましくは最大５０％のところであり、特定的には最大３０％のところである。
【００２９】
支持要素のサイズに関しては、その横方向範囲が、滑動表面の横方向高さの最大７５％に達する。
【００３０】
この点で、支持要素の横方向範囲は、滑動表面の横方向高さの好ましくは４０％から７５％に達する。特別な事例では、支持要素の横方向範囲が、滑動表面の横方向高さの５％と４０％との間に、特に３０％未満になり得る。
【００３１】
既に上で詳細に説明したように、クロスヘッドは、動作状態で、支持要素が支持壁における横方向力の最大値の範囲内に特に有利に設けられるように、シリンダ・ライナのシリンダ軸に関して非対称的に広がる水平横方向力を横方向支持壁に及ぼす。
【００３２】
この点で、支持要素自体の断面は原理上、それ自体が知られた全体を貫いて延びる支持体の任意の知られた断面形状ばかりでなく、支持壁に対して作用する水平力を適切な態様で吸収するのに適切である他の任意の形状も有し得る。
【００３３】
支持要素は、先行技術から知られた、全体を貫いて延びる支持体におけるように、三角形断面を有する二重壁を備えて作製されることが好ましい。別の実施例では、支持要素が、例えば、長方形断面を有する二重壁を備えて作製される。支持要素は、当然であるが、緊密な支持要素として単壁を備えて作製されてもよい。
【００３４】
全体的な大型ディーゼル・エンジンの安定性に対する要求に応じて、又は支持要素のどの特定の実施例が選択されるかに応じて、１本のタイロッドが支持要素に通して案内される。他の事例では、複数のタイロッドも、好ましくは厳密に２本のタイロッドが支持要素に通して案内され得る。
【００３５】
この点で、本発明の支持要素は、例えば、大型ディーゼル・エンジンの一側の支持壁のみに設けられてもよいし、又はそれぞれの支持要素が、例えば、同じクロスヘッドを案内する２つの水平に対向配置された支持壁に設けられてもよい。水平に作用する力の非対称性がそれほど全体的に顕著ではない特別な事例では、例えば、それぞれの場合において支持要素がクランクシャフトに沿って左側及び右側に交互に設けられて、それによって力の伝達のより高い対称性が、エンジンの全長にわたって実現され得る。
【００３６】
少なくとも２つ以上の支持要素が、恐らくは相互に離間されて、１つの且つ同じ側壁に設けられて、それによって支持壁の剛性がとりわけ増大され得ることも当然ながら可能である。
【００３７】
横方向支持体としてベースプレートのベースシートからスタンドのカバープレートまで全体を貫く態様で延びる、それ自体が知られた支持体を有する支持要素も、本発明の大型クロスヘッド・ディーゼル・エンジンにおいて有利に組み合わされ得ることは自明である。したがって、例えば、それ自体が知られた、全体を貫いて延びる支持体は、より大きな力が、水平力分布の非対称性により滑動軌道に対して作用するクランクシャフトの一側に設けられ、一方で、クランクシャフトの他方の側（この側ではエンジンが動作状態でそれに対応する方向へ回転するので、水平力が比較的により小さい）には、本発明に従う支持要素はそれに作用する水平横断力を有効に補償するのに既に十分であるので、本支持要素が設けられる。
【００３８】
以下に図面を参照して本発明をより詳細に説明する。これらの図面は模式図で示されている。
【図面の簡単な説明】
【００３９】
【図１】ベースプレート、スタンド、及びシリンダ部分を有する大型クロスヘッド・ディーゼル・エンジンを示す図である。
【図２】二重壁支持要素を有する公知の大型クロスヘッド・ディーゼル・エンジンの図１に従う断面Ｉ−Ｉである。
【図３】二重壁支持要素を有する公知の大型クロスヘッド・ディーゼル・エンジンの図１に従う断面ＩＩ−ＩＩである。
【図４】三角形二重壁支持要素を有する、異なる公知の大型クロスヘッド・ディーゼル・エンジンの図１に従う断面ＩＩ−ＩＩである。
【図５】横方向高さに応じた滑動軌道に対する水平力作用の推移である。
【図６】一側に配置した支持要素を有する本発明に従う大型クロスヘッド・ディーゼル・エンジンの第１の実施例である。
【図７ａ】図６に従う実施例における滑動軌道に対する水平力作用の推移である。
【図７ｂ】支持要素の第１の実施例を通る図７ａに従う線ＩＩＩ−ＩＩＩに沿った断面である。
【図７ｃ】支持要素の第２の実施例を通る図７ａに従う線ＩＩＩ−ＩＩＩに沿った断面である。
【図７ｄ】支持要素の第３の実施例を通る図７ａに従う線ＩＩＩ−ＩＩＩに沿った断面である。
【図８】２つの側に配置した支持要素を有する本発明に従う大型クロスヘッド・ディーゼル・エンジンの第２の実施例である。
【図９】全体を貫く支持体を有する本発明に従う大型クロスヘッド・ディーゼル・エンジンの第３の実施例である。
【発明を実施するための形態】
【００４０】
以下に参照符号１によって全体として示される本発明に従う大型クロスヘッド・ディーゼル・エンジンが、例えば、船舶建造で広く使用されるような長手方向の掃気を行う大型ツー・ストローク・ディーゼル・エンジン１として特に設計される。
【００４１】
図１は、ベースプレート２、スタンド５、及びシリンダ部分６を備える、本発明に従う大型クロスヘッド・ディーゼル・エンジン１のデザインを模式的に断面で示す。この点で、図１に示した外部デザインは、公知の大型ディーゼル・エンジン１’の外観と実質的に同一である。
【００４２】
シリンダ部分６は、それ自体が公知の態様でシリンダ（図示せず）を受け入れる役目をする。スタンド５（例えば、鋼板を相互に溶接することによって作製された）は、ベースシート１２及び２つの外壁４を有し、本図に従えば、垂直に、即ち、横方向に延びる滑動表面９と共に、断面が台形であり、共通のカバープレート１３によって相互に連結された２つのフレームを形成する。垂直に延びる２つの対向配置された滑動表面９が、２つの台形フレーム間に配置される中心壁１４によって支持される。スタンド５はベースプレート２上のベースシート１２と共に配置され、ベースプレート２はクランクシャフト３を軸支するための軸受シェルを有する軸受サドルを含んでいる。軸線Ｋを有するクランクシャフト３は、それ自体が公知の態様で、図１では示されていないプッシュロッド１５を介してクロスヘッド１０に連結されている。
【００４３】
本発明をより適切に理解するために、先行技術から公知のスタンドの異なる例が、図２から図４に模式的に示されている。この点で、先行技術を本発明からより適切に区別するために、図２から図４までの特徴構造の参照符号にはダッシュ符号が付けられ、その一方で本発明に従う実施例を表す残りの図における特徴構造は、ダッシュ符号が付かない参照符号を有する。この点で、本発明に従う実施例の特徴構造と公知例の対応する特徴構造とがそれぞれに、上述したようにダッシュ符号の使用又は不使用のみが異なる同じ参照符号によって示されている。
【００４４】
図２は、ベースプレート２’上に配置されるスタンド５’と、スタンド５’上に設置されるシリンダ部分６’とを含む公知例の大型クロスヘッド・ディーゼル・エンジン１’の図１の線Ｉ−Ｉに沿った断面を示す。カバープレート１３’がスタンド５’とシリンダ部分６’との間に配置され、且つベースシート１２’がスタンド５’とベースプレート２’との間に配置されている。シリンダ部分６’は、公知の態様で１本又は複数のシリンダ（図示せず）を受け入れるのに適している。シリンダの内部空間は、シリンダカバー（図示せず）と、ピストンロッド１６’によってクロスヘッド１０’に連結されてシリンダの中で往復動可能に配置されるピストン（同じく図示せず）と共に、公知の態様で大型クロスヘッド・ディーゼル・エンジン１’の燃焼空間を形成する。スタンド５’は、横方向支持壁８’が支持されている支持体１１’を含む。支持壁８’は、プッシュロッド１５’によってクランクシャフト３’に連結され且つピストンロッド１６’によって大型クロスヘッド・ディーゼル・エンジン１’のピストン（図示せず）に連結されるクロスヘッド１０’を案内するための滑動表面９’を担持する。
【００４５】
この点で、支持体１１’が、ベースシート１２’とカバープレート１３’との間で実質的にスタンド５’の全高ＨＴ’にわたって延びるのは先行技術の特徴である。
【００４６】
ベースプレート２’は軸受サドル及び横方向支持要素を含むが、このベースプレートは、クランクシャフト３’を受け入れ且つ軸支するために、ここでは１つの壁のみを備えて作製されている。しかし、それは、別の公知例では二重壁設計でも作製され得る。シリンダ部分６’、スタンド５’、及びベースプレート２’は、タイロッド７’によって予張力が掛けられて相互に連結されている。この点で、タイロッド７’は、二重壁支持体１１’の内部の横方向支持壁８’に沿ってスタンド５’の領域内において延び、且つクランクシャフト３’の軸線Ｋ’とスタンド５’との間の領域内で、即ち、本図面に従えば、クランクシャフト３’の軸線Ｋ’の上方で、ねじ山付き穴の中でベースプレート２’の軸受サドルの中に取り付けられている。
【００４７】
図２に示した実施例では、支持体１１’の壁が、シリンダ部分６’の方向へＶ字形状で延びる。即ち、支持体１１’の壁の相互間隔は、シリンダ部分６’に向かう方向へ次第に拡大している。
【００４８】
図２に示した特に好ましい例では、タイロッド７’の長手軸線Ｚ’が、支持体１１’の横方向壁間の中心において延びて、ベースプレート２’中の支持体１１’がその上に支持されているベースプレート２’の単壁設計の支持要素が、タイロッド７’の長手軸線Ｚ’と面一に配置されている。タイロッド７’は、ねじ山付き穴の中で軸受サドルに取り付けられ、特に、軸受シェルの変形を回避するために、クランクシャフト３’の軸線Ｋ’とスタンド５’との間の領域内に、即ち、本図に従えば、クランクシャフト３’の軸線Ｋ’の上方に取り付けられる。ベースプレート２’中の単壁支持要素は、タイロッド７’の長手軸線Ｚ’と面一に配置され、したがって支持体１１’の壁に対して対称的に配置されるので、ベースプレート２’がそれほど過剰な剛性を有することなく特に高い安定性が得られる。
【００４９】
この点で、タイロッド７’がクランクシャフト３’の軸線Ｋ’の下に繋止されて、同様に負荷プロファイルに依存して使用され得る例が、先行技術においても完全に知られている。
【００５０】
図３は、公知のスタンド５’の図１の線ＩＩ−ＩＩに沿った断面を示す。スタンド５’の中で対向して配置され、且つ滑動表面９’間の中心壁１４’によって相互に対して支持される支持体１１’が示されている。クロスヘッド１０’は、ベースシート１２’とカバープレート１３’との間で本質的にスタンド５’の全高ＨＴ’にわたって延びる２つの隣接する支持体１１’の２つの対向配置された滑動表面９’間で案内される。厳密に言えば、１本のタイロッド７’が、各支持体１１’の中の壁間に延びる。
【００５１】
最後に図４は、公知のスタンド５’の図１の断面ＩＩ−ＩＩに沿った断面の他の例を示すが、この例は、ここでも当然ながらベースシート１２’とカバープレート１３’との間で実質的にスタンド５’の全高ＨＴ’にわたって延びる支持体１１’が、三角形の形態で作製されており、中心壁１４’が支持体１１’を貫通して、それによってこの支持体に追加的な安定性を与えている点で、図３に従う例とは本質的に異なる。さらには、それによって支持体１１’は、それぞれのタイロッド７’が中に延びる２部分の本体に分割される。これは、図３の例とは異なって、図４の三角形の例では、２本のタイロッド７’が各支持体１１’に関連している。
【００５２】
図７ａでは、水平力が作用する推移、即ち、支持壁８の滑動表面９に対する水平横方向力ＱＫの推移が、横方向高さＨに応じて且つクランク角ＫＷに依存して、本発明に従う大型クロスヘッド・ディーゼル・エンジン１に関して模式的に示されている。該水平力の作用の推移は、先行技術から公知の大型ディーゼル・エンジン１’における、図５に示す力の推移と基本的にほぼ同一である。
【００５３】
既に最初に示したように、クロスヘッド１０が上死点ＯＴＰと下死点ＵＴＰとの間で行程経路ＨＳにわたって横方向に沿って移動すると、このクロスヘッドが滑動表面９に対して及ぼす水平横方向力ＱＫの推移は、最初はクランク角ＫＷに依存して水平方向に関して幾分顕著に非対称的であり、他方で横方向に沿って、即ち、高さＨに沿ってかなり変化して、横方向力ＱＫが、クロスヘッド１０の上死点ＯＴＰの近傍で且つ下死点ＵＴＰの上方で最大値を有する。曲線ＱＫの２つの下方最大値（それは下死点ＵＴＰの近傍に位置する）が、曲線ＱＫの非対称性を明確に示すＭ１及びＭ２によって標示されている。つまり、中心軸線Ａに関して、横方向力ＱＫの最大値Ｍ１は、それに対応する最大値Ｍ２よりも遙かに大幅に顕著であること、即ち、遙かに大きな横方向力ＱＫに対応するものである。
【００５４】
これは、大型ディーゼル・エンジン１のピストンの圧縮行程時に圧縮圧力のみが燃焼空間内に加えられるが、一方でピストンの膨張行程では、燃料の燃焼によって生成された追加的な燃焼圧力が燃焼空間内で追加的に加えられて、滑動軌道９に対して得られる水平力成分ＱＫも圧縮行程におけるよりも膨張行程における方が大きくなることによる。これは、最大値Ｍ１がピストンの膨張行程時に、即ち、ピストンがその上死点から下死点に向かう方向へ移動するときに生じ、一方で最大値Ｍ２がピストンの圧縮行程時に生じることを意味する。
【００５５】
横方向力ＱＫは、シリンダ内に行き渡る圧力によって本質的に決まるばかりでなく、長手軸線Ａに対するプッシュロッド１５の角位置によっても決まるので、図５及び図７ａに完全なエンジンサイクルに関して模式的に示した、魚の輪郭を思わせる特徴的な形状が生じる。
【００５６】
この点で、力の推移輪郭ＱＫの非対称的な変位の水平方向、即ち、本図に従えば最大値Ｍ１又はＭ２が右側に又は左側にあるかどうかは、エンジン１における回転方向に関する特徴である。例えば、船尾、即ち、船舶では当然にスクリュー側からエンジン１の駆動側に向かって眺めて、エンジン１が左側に回転すれば、エンジン１は反時計回りに回転すると呼ばれる。エンジン１が反時計回りに回転する場合には、より大きな力ＱＫは、船尾から眺めた場合と同様に、右手水平方向へ加えられ。エンジン１が時計回りに回転すれば、それに対応して、より大きな力ＱＫは左手水平方向へ加えられる。
【００５７】
即ち、換言すれば、大型ディーゼル・エンジン１の排気ガス側は、船尾から又は駆動側から眺めて、一般に右側にあるので、且つ燃料供給用などのユニット、即ち、ポンプ側は左側にあるので、時計回りに回転するエンジン１では、より大きな力がポンプ側に加えられ、反時計回りに回転するエンジン１では、より大きな力が排気ガス側に加えられる。
【００５８】
図６に、本発明に従う大型クロスヘッド・ディーゼル・エンジン１の第１の実施例が、一側に支持要素１１が配置されて模式的に示されている。
【００５９】
この点で図６は、図２と同様に、本発明に従う図１の大型クロスヘッド・ディーゼル・エンジン１を通る線Ｉ−Ｉに沿った断面を示す。図６に従う大型クロスヘッド・ディーゼル・エンジン１は、ベースプレート２の上に配置されるスタンド５と、このスタンド５の上に設置されるシリンダ部分６とを含む。カバープレート１３が、スタンド５とシリンダ部分６との間に配置され、且つベースシート１２が、スタンド５とベースプレート２との間に配置される。シリンダ部分６は、公知の態様で１本又は複数のシリンダ（図示せず）を受け入れるのに適している。シリンダの内部空間は、シリンダカバー（図示せず）と、ピストンロッド１６によってクロスヘッド１０に連結され且つシリンダ内で往復動可能に配置されるピストン（同じく図示せず）と共に、公知の態様で大型クロスヘッド・ディーゼル・エンジン１の燃焼空間を形成する。本発明に従えば、支持要素１１が本図の左側の支持壁８に部分として配置されているが、この支持壁では、クロスヘッド１０のための滑動表面９は、支持要素１１の横方向範囲ｈが滑動表面９の又はスタンド５の横方向高さＨＴよりも小さいように設けられる。
【００６０】
図６の実施例では、最大の横方向力ＱＫが、本図に従えば左側の支持壁８に対して作用するので、先行技術から公知の支持体１１’も本発明に従う支持要素１１も、本図に従えば右側の支持壁８には設けられていない。したがって、本発明に従う支持要素１１は、左手支持壁８の安定性を増大させるために設けられ、一方で右手支持壁８では、ここには動作状態で実質的により小さい横方向力ＱＫが作用するので、追加的な支持要素１１、支持体１１’が完全に割愛され得る。
【００６１】
この点で、支持要素１１の横方向範囲ｈのほぼ半分のところに位置する支持要素１１の幾何学中心ＧＭが、支持壁８に対して作用する横方向力ＱＫの最大値Ｍ１のほぼ領域内にあるように、支持要素１１は支持壁８に配置される。これは、図７ａを参照して再び例示される。
【００６２】
既に述べたように、支持壁８は、プッシュロッド１５によってクランクシャフト３に連結され且つピストンロッド１６によって大型クロスヘッド・ディーゼル・エンジン１’のピストン（図示せず）に連結されるクロスヘッド１０を案内するための滑動表面９を担持する。
【００６３】
この点で、支持要素１１が、先行技術から公知の支持体１１’とは異なって、ベースシート１２とカバープレート１３との間でスタンド５の全高ＨＴにわたって延びるのではなく、滑動表面９の又はスタンド５の横方向高さＨＴよりも小さい横方向範囲ｈのみにわたって延びることは本発明の特徴である。
【００６４】
この点で、ベースプレート２は、軸受サドルと、クランクシャフト３を受け入れ且つ軸支するための横方向支持要素（本実施例では単壁のみを備えて示されている）と含む。しかし、本発明に従う別の実施例では、ベースプレート２の中の横方向支持要素が、例えば、二重壁設計でもよい。それ自体が知られているように、シリンダ部分６、スタンド５、及びベースプレート２は、予張力が掛けられたタイロッドによって相互に連結される。この点で、タイロッド７は、横方向支持壁８に沿ってスタンド５の領域内に、且つ本図に従えば支持壁８の中で、二重壁支持要素１１の内部に延びる。タイロッド７は、クランクシャフト３の軸線Ｋとスタンド５との間の領域内で、即ち、本図に従えばクランクシャフト３の軸線Ｋの上方でベースプレート２の軸受サドル中でねじ山付き穴の中に、それ自体公知の態様で取り付けられる。
【００６５】
図６に示した特に好ましい実施例では、タイロッド７の長手軸線Ｚが支持体１１の横断方法壁間の中心を延びて、ベースプレート２中の支持体８が上に支持される、ベースプレート２の単壁設計の支持要素は、タイロッド７の長手軸線Ｚと面一に配置されている。タイロッド７は、ねじ山付き穴の中で軸受サドルの中に取り付けられ、特に、軸受シェルの変形を回避するために、クランクシャフト３の軸線Ｋとスタンド５との間の領域内に、即ち、本図に従えばクランクシャフト３の軸線Ｋの上方に取り付けられる。ベースプレート２の中の単壁支持要素はタイロッド７の長手軸線Ｚと面一に配置されるので、ベースプレート２がそれほど過剰な剛性を有することなく、特に高い安定性が得られる。
【００６６】
この点で、本発明に従う別の実施例では、タイロッド７がクランクシャフト３の軸線Ｋの下に繋止されることがどんな場合でも可能である。また本発明のこのような実施例は、同様に負荷プロファイルに依存して有利に使用され得る。
【００６７】
図７ｂは、本発明に従う支持要素１１の第１の実施例を通る、図７ａの線ＩＩＩ−ＩＩＩに沿った断面を示す。
【００６８】
図７ｂから理解され得るように、特別な実施例における支持要素１１は三角形の支持要素１１であり、その中に２本のタイロッドが案内され且つ中心壁１４が支持要素１１に達してその中へ延びて、それによってスタンド５の安定性がさらに増大される。
【００６９】
また他の三角形支持要素１１が、どんな場合でも有利に使用され得ることが理解される。例えば、中心壁１４が支持要素１１の内部に達せずその中へ延びないもの及び／又はそれぞれの場合で１本のタイロッド７のみが各三角形支持要素１１に関連するもの。
【００７０】
図７ｃ及び図７ｄは、本発明に従う支持要素１１の第２及び第３の特別な実施例を通る、図７ａの線ＩＩＩ−ＩＩＩに沿った断面を示す。
【００７１】
この点で、支持要素１１は、図７ｂの支持要素と同様に、中空本体として作製されるが、長方形断面を有する。この場合も、例えば、長方形断面が選択されて、１本のみのタイロッド７が、例えば、支持要素１１に通して案内され得る。
【００７２】
図７ｄは、中空本体として設計されていないが、少なくとも１本のタイロッドが貫通して案内される中実な本体として設計される本発明に従う支持要素１１の特別な実施例を示す。
【００７３】
図８に、本発明に従う大型クロスヘッド・ディーゼル・エンジン１の第２の実施例が、両側に支持要素１１が配置されて模式的に示されている。この実施例は、支持壁８に係合する横方向力ＱＫがスタンド５の両側で非常に大きいので、支持要素１１が、好ましくは横方向力ＱＫの最大値Ｍ１、Ｍ２の領域内で、スタンドを安定化するために両側に設けられなければならないときに、特に有利に使用され得る。
【００７４】
実行に非常に重要である、本発明に従う大型クロスヘッド・ディーゼル・エンジン１の第３の実施例が図９に示されているが、この実施例では、それ自体が先行技術から公知のような全体を貫いて延びる横方向支持体１１０が、スタンド５の一側に、ここでは本図に従えば左側に設けられる。この点で、本発明に従えば、本発明による支持要素１１が、それに対向して配置された支持壁８に設けられる。
【００７５】
この非常に特別な図９の実施例は、スタンドの一側で、本図に従えば左の側で横方向力ＱＫが非常に大きくなり得るので、本発明に従う支持要素１１による支持では十分でないときに、特に非常に有利に使用される。しかし、それに対向して配置された側では、横方向力ＱＫが遙かにより小さいので、この実施例の場合には部分的に横方向範囲ｈの本発明に従う支持要素１１を設けることだけで十分である。
【００７６】
当業者であれば、本発明は、明示的に論じた実施例のみに限定されものではなく、それに対応する更なる発展型も同様に本発明によって網羅されることを理解しよう。当然のことであるが、特に本発明は、論じられた特別な実施例の全ての適切な組合せに関する。
【図１】
2010223220.tif 000003
【図２】
2010223220.tif 000004
【図３】
2010223220.tif 000005
【図４】
2010223220.tif 000006
【図５】
2010223220.tif 000007
【図６】
2010223220.tif 000008
【図７ａ】
2010223220.tif 000009
【図７ｂ】
2010223220.tif 000010
【図７ｃ】
2010223220.tif 000011
【図７ｄ】
2010223220.tif 000012
【図８】
2010223220.tif 000013
【図９】
2010223220.tif 000014